(57)【要約】【課題】車両が急発進や急旋回するような状況において発生する異音の音圧レベルを好適に低減することができる車輪用転がり軸受装置を提供する。【解決手段】内輪３１の側面３９と、側面３９の内周縁に形成される内壁面との角部にＲ面取りを施し、側面３９の内周端がエッジ形状となることを防止する。これにより、ナット１５の螺合により駆動軸１０と内軸２０等とが結合されたときに、当接面におけるエッジロードの発生を緩和する。このように当接面の面圧の部分的な上昇を抑えることで、側面１６と側面３９とのスティックスリップ現象で開放されるエネルギを小さくし、そのときに発生する異音の音圧レベルを低減する。【選択図】図１
2008082347.tif 000002
【特許請求の範囲】
【請求項１】
インナー側に大径部を有し、アウター側に小径部を有する駆動軸と、
前記小径部の外周にスプラインを介して取り付けられる内軸と、
内軸の外周にインナー側から取り付けられる転がり軸受の内輪とを備え、
内輪のインナー側の側面を前記大径部のアウター側の側面に当接させ、駆動軸を内軸に対してアウター側に押圧することで、駆動軸、内軸、及び内輪を結合するようにした車輪用転がり軸受装置において、
前記内輪は、前記当接するインナー側の側面と、該側面の内周縁に形成される内壁面との角部に、該側面に対して接線接続される曲面部が形成される
ことを特徴とする車輪用転がり軸受装置。
【請求項２】
請求項１に記載の車輪用転がり軸受装置において、
前記曲面部は、前記インナー側の側面と前記内壁面との間のＲ面取りにより形成される
ことを特徴とする車輪用転がり軸受装置。
【発明の詳細な説明】
【技術分野】
【０００１】
本発明は、主として自動車に用いられる車輪用転がり軸受装置に関するものである。
【背景技術】
【０００２】
従来、駆動輪を支持する車輪用転がり軸受装置として、エンジンに接続された駆動軸を、車輪が取り付けられる内軸の中心孔に結合し、駆動軸と内軸とを一体的に回転させるようにしたものが知られている。こうした車両用軸受装置にあっては、特許文献１に示されるように、内軸の外周に転がり軸受の内輪がインナー側（車輪が取り付けられる側の反対側）から取り付けられるように構成されている。駆動軸は、インナー側に大径部を有し、アウター側（車輪が取り付けられる側）に小径部を有するように構成され、その小径部が内軸の中心孔に挿入されている。そして、内軸の中心孔の内周面に形成されたスプラインと、駆動軸の小径部の外周面に形成されたスプラインとをスプライン係合させることにより、内軸と駆動軸との回転方向の結合が行われている。また、内輪のインナー側の側面を大径部のアウター側の側面に当接させ、駆動軸の小径部のアウター側先端に設けられたねじ部にナットを螺合することで、駆動軸を内軸に対してアウター側に押圧し、内軸と駆動軸との軸方向の結合が行われている。このようにして駆動軸と内軸等とを結合することにより、転がり軸受の内輪に適切な予圧を付与するとともに、駆動軸、内軸、及び内輪を一体的に回転させるようにしている。
【０００３】
ところで、こうした車輪用転がり軸受装置では、車両が急発進や急旋回するような状況において、駆動軸に大きなねじりトルクが加わることがある。駆動軸に大きなねじりトルクが加わると、上記スプラインと上記当接面との間における駆動軸と内軸等とのねじれ剛性の差により、当接面において円周方向に微小な相対運動が発生しようとする。このとき、当接面において発生するねじりトルクが、ナットの押圧による面圧に起因した摩擦抵抗を上回るまでは当接面での相対運動は発生せず、ねじりトルクが摩擦抵抗を上回ったときに急に相対運動が生じてエネルギが解放されるというスティックスリップ現象が発生する。こうしたスティックスリップ現象が発生する場合、当接面における急激な相対運動によって異音が発生してしまう。
【０００４】
そこで、特許文献１に示されるように、当接面に低摩擦部材を介在するようにした車輪用転がり軸受装置が提案されている。この車輪用転がり軸受装置は、低摩擦部材によって当接面を滑りやすく構成し、これによりスティックスリップ現象の発生を抑えて、異音の発生を抑えようとしている。
【特許文献１】登録実用新案第２５３２６７２号公報
【発明の開示】
【発明が解決しようとする課題】
【０００５】
ところで、特許文献１に示されるような車輪用転がり軸受装置では、当接面を滑りやすく構成しているため、駆動軸と内軸等との結合状態における剛性の低下や、駆動軸等の疲労強度の低下を招くおそれがある。さらに、当接面の滑りにより駆動軸等の摩耗が進行すると、駆動軸と内軸等との結合強度や、内輪に付与している予圧を低下させてしまうおそれがある。
【０００６】
また、上記のようなスティックスリップ現象による異音は、ナットの押圧による面圧が高いほど、相対運動により開放されるエネルギが大きくなり、その音圧レベルが大きくなる。このため、面圧の大きさを考慮せずに、特許文献１に示されるように摩擦係数のみに着目するだけでは異音の音圧レベルを効果的に低減できない場合がある。
【０００７】
本発明は、こうした実情に鑑みてなされたものであり、その目的は、当接面のスティックスリップ現象により発生する異音の音圧レベルを好適に低減することができる車輪用転がり軸受装置を提供することにある。
【課題を解決するための手段】
【０００８】
上記目的を達成するため、請求項１に記載の発明は、インナー側に大径部を有し、アウター側に小径部を有する駆動軸と、前記小径部の外周にスプラインを介して取り付けられる内軸と、内軸の外周にインナー側から取り付けられる転がり軸受の内輪とを備え、内輪のインナー側の側面を前記大径部のアウター側の側面に当接させ、駆動軸を内軸に対してアウター側に押圧することで、駆動軸、内軸、及び内輪を結合するようにした車輪用転がり軸受装置において、前記内輪は、前記当接するインナー側の側面と、該側面の内周縁に形成される内壁面との角部に、該側面に対して接線接続される曲面部が形成されることをその要旨としている。
【０００９】
駆動軸の内軸への結合時に、内輪のインナー側の側面を駆動軸の大径部のアウター側の側面に当接させ、駆動軸を内軸に対してアウター側に押圧する場合、一般的に各側面の当接面に付与される面圧は均一とならずに、面圧分布が当接面の端部において極大値をとる状態、いわゆるエッジロードが発生し易くなる。例えば、駆動軸の小径部のアウター側先端に形成されたねじ部にナットを螺合することで、駆動軸を内軸に対してアウター側に押圧するような場合においては、駆動軸の小径部がアウター側に引っ張られることになるため、当接面の内径側の面圧が相対的に増加し、エッジロードが発生し易くなる。
【００１０】
また、内輪は、側面及び内周面が研削により加工され、その後に側面と内周面とのコーナーＲが旋削により加工されるといった手順で製作されるため、コーナーＲ加工時のばらつきに起因して側面の内周端の位置が変動することを防止するような対応がとられている。この対応としては、内輪の側面の内周縁に円錐面等で形成される小さな内壁面を設けて内周端の位置出しを行い、その後に内壁面を残した状態でコーナーＲの加工を行うという手法が採用されている。このような手法で内輪が製作されると、側面と内壁面との角部、すなわち内輪の側面の内周端にエッジ形状が残されるため、上述のエッジロードがより顕著に発生することになる。
【００１１】
エッジロードが発生すると、面圧の大きくなる箇所が存在することになるため、その箇所における摩擦抵抗が増加して当接面の摩擦抵抗が全体的に大きくなる。このため、スティックスリップ現象により当接面に蓄積されるエネルギが大きくなり、そのエネルギの開放により発生する異音も大きくなる。
【００１２】
この点、同構成によれば、内輪は、駆動軸の大径部のアウター側の側面に当接するインナー側の側面と、該側面の内周縁に形成される内壁面との角部に、該側面に対して接線接続される曲面部が形成されるため、内輪の側面の内周端がエッジ形状となることを防止することができる。このため、エッジロードの発生を緩和することができ、面圧の部分的な上昇に起因してスティックスリップ現象の発生時に大きな異音が発生してしまうことを抑えることができる。従って、車両が急発進や急旋回するような状況において発生する異音の音圧レベルを低減することができる。
【００１３】
請求項２に記載の発明は、請求項１に記載の車輪用転がり軸受装置において、前記曲面部は、前記インナー側の側面と前記内壁面との間のＲ面取りにより形成されることをその要旨としている。
【００１４】
同構成によれば、内輪の角部に形成される曲面部は、インナー側の側面と内壁面との間のＲ面取りにより形成されるため、内輪の側面の内周端がエッジ形状となることを防止することができ、エッジロードの発生を緩和してスティックスリップ現象により発生する異音の音圧レベルを好適に低減することができる。
【発明の効果】
【００１５】
本発明によれば、内輪は、駆動軸に当接するインナー側の側面と、該側面の内周縁に形成される内壁面との角部に、該側面に対して接線接続される曲面部が形成されるため、内輪の側面の内周側端部がエッジ形状となることを防止することができる。このため、エッジロードの発生を抑制することができ、当接面のスティックスリップ現象により発生する異音の音圧レベルを低減することができる。
【発明を実施するための最良の形態】
【００１６】
以下、図１〜４を参照して、本発明に係る車輪用転がり軸受装置を具体化した一実施形態について説明する。図１は車輪用転がり軸受装置１の縦断面図である。車輪用転がり軸受装置１は、駆動軸１０と、内軸２０と、転がり軸受３０とを備えている。
【００１７】
駆動軸１０は、図示しない等速ジョイント及び差動装置を介してエンジンに接続されており、エンジンの出力回転が伝達される。駆動軸１０は、等速ジョイントと接続されるインナー側に大径部１１を有し、内軸２０と結合されるアウター側に小径部１２を有する。駆動軸１０の小径部１２の外周には、軸方向中途部にスプライン部１３が形成されるとともに、アウター側先端にねじ部１４が形成されている。
【００１８】
内軸２０は、軸部２１と、軸部２１のアウター側端部に径方向外方に延びるように形成された円環状のフランジ部２２とを有している。フランジ部２２には、図示しない車輪のホイールがボルト２３により締結されている。また、軸部２１の中心には、駆動軸１０が挿入される中心孔２４が形成されている。中心孔２４の内周には、駆動軸１０のスプライン部１３と対向する位置にスプライン部２５が形成されている。
【００１９】
転がり軸受３０は、複列のアンギュラ玉軸受であり、軸部２１の軸方向中央部の外周面に取り付けられる。転がり軸受３０は、内輪３１と、外輪３２と、複列の転動体としてインナー側及びアウター側に配列された玉３３，３４と、アウター側及びインナー側に配置されたシール部材３５とを有する。内輪３１は、内軸２０の軸部２１の外周にインナー側から取り付けられ、その内周面３６が軸部２１の外周面２６と嵌合するとともに、アウター側の側面３７が軸部２１の段差部側面２７と当接している。内輪３１の外周には、インナー側の玉３３の軌道面である第１軌道３１ａが形成されている。また、軸部２１のフランジ部２２側の外周には、アウター側の玉３４の軌道面である第２軌道２１ａが形成されている。
【００２０】
一方、外輪３２は、第１軌道３１ａに対向する第１外輪軌道３２ａと、第２軌道２１ａに対向する第２外輪軌道３２ｂとを有する。また、外輪３２の外周面には、径方向外側に延びるフランジ部３８が設けられている。このフランジ部３８は図示しない車体の懸架装置に取り付けられる。そして、インナー側の玉３３が、第１軌道３１ａと第１外輪軌道３２ａとの間に配置され、アウター側の玉３４が、第２軌道２１ａと第２外輪軌道３２ｂとの間に配置されている。シール部材３５は、外輪３２の両側部と内輪３１及び軸部２１との間に介在し、車両の走行に伴い、泥水、砂利、小石等の異物が、外輪３２と内輪３１及び軸部２１との隙間から転がり軸受３０の内部に侵入することを防止している。
【００２１】
このように構成される車輪用転がり軸受装置１において、駆動軸１０と内軸２０とは以下のように結合される。駆動軸１０の小径部１２を内軸２０の中心孔２４に挿入することで、小径部１２のスプライン部１３と中心孔２４のスプライン部２５とをスプライン係合させ、駆動軸１０と内軸２０との回転方向の結合が行われる。また、内輪３１のインナー側の側面３９を駆動軸１０の大径部１１のアウター側の側面１６に当接させ、駆動軸１０のねじ部１４にナット１５を螺合することで駆動軸１０を内軸２０に対してアウター側に押圧し、駆動軸１０と内軸２０と内輪３１との軸方向の結合が行われる。このようにして駆動軸１０と内軸２０等とを結合することにより、転がり軸受３０の内輪３１に適切な予圧を付与するとともに、駆動軸１０、内軸２０、及び内輪３１が一体的に回転するように構成している。
【００２２】
ここで、駆動軸１０の大径部１１の側面１６と、内輪３１の側面３９との当接面について説明する。側面１６及び側面３９は、軸心Ｏと垂直方向に形成されている。側面１６と側面３９とが当接する場合、各側面１６，３９の当接面における面圧は均一とならずに、面圧分布が当接面の端部において極大値をとる状態、いわゆるエッジロードが発生し易くなる。上述のように、駆動軸１０の小径部１２には、ナット１５の螺合によってアウター側に引張り力が作用するため、図２の面圧分布に示すように、当接面の内径側の面圧が相対的に増加し、エッジロードが発生し易くなる。エッジロードが発生すると、面圧の大きくなる箇所が存在することになるため、その箇所における摩擦抵抗が増加して当接面の摩擦抵抗が全体的に大きくなる。このため、車両が急発進や急旋回するような状況において当接面に大きなねじりトルクが加わった場合に、スティックスリップ現象により当接面に蓄積されるエネルギが大きくなり、そのエネルギの開放により発生する異音も大きくなる。
【００２３】
そこで、本実施形態では、こうしたエッジロードの発生を緩和するために、内輪３１を以下のように構成している。図３は図１のＡ部の拡大断面図である。同図に示すように、内輪３１の内周面３６と側面３９との間に形成されたＲ面４０は、側面３９と接線接続するようには形成されておらず、側面３９の内周縁には円錐状の内壁面４１が形成されている。
【００２４】
内輪３１は、側面３９及び内周面３６が研削により加工され、その後にＲ面４０が旋削により加工されるといった手順で製作されるため、Ｒ面４０の加工時のばらつきに起因して側面３９の内周端３９ａの位置が変動することを防止する必要がある。内壁面４１は、こうした内周端３９ａの位置ばらつきを防止するために設けられている。すなわち、内壁面４１によって内周端３９ａの位置出しを行い、その後に内壁面４１を残した状態でＲ面４０の加工を行うようにしている。
【００２５】
そして、側面３９と内壁面４１との角部には、Ｒ面取りが施されている。このように、Ｒ面取りにより曲面部４２が形成されると、曲面部４２は側面３９に対して接線接続されることになるため、側面３９の内周端３９ａがエッジ形状となることを防止することができる。このため、側面３９と内壁面４１との角部にＲ面取りが施されない場合と比べて、エッジロードの発生を緩和することができる。図４に、角部にＲ面取りを施した場合と、Ｒ面取りを施さない場合との、当接面の面圧分布を示す。図中の実線ＸはＲ面取りを施した場合の面圧分布であり、破線ＹはＲ面取りを施さない場合の面圧分布である。同図に示すように、Ｒ面取りによって当接面の内径側への面圧の集中が緩和され、内径側で発生していた面圧のピーク値が低下する。
【００２６】
このようにして、当接面におけるエッジロードの発生を緩和し、当接面の摩擦抵抗を低減させることができるため、スティックスリップ現象により発生する異音を小さくすることができる。
【００２７】
上記実施形態の車輪用転がり軸受装置１によれば、以下のような効果を得ることができる。
（１）上記実施形態では、内輪３１の側面３９と内壁面４１との角部には、Ｒ面取りが施されているため、側面３９の内周端３９ａがエッジ形状となることを防止することができる。このため、ナット１５の螺合により駆動軸１０と内軸２０等とが結合されたときに、当接面におけるエッジロードの発生を緩和することができる。従って、当接面の面圧の部分的な上昇を抑えることで、側面１６と側面３９とのスティックスリップ現象で開放されるエネルギを小さくすることができ、そのときに発生する異音の音圧レベルを低減することができる。これにより、車両が急発進や急旋回するような状況において発生する異音の音圧レベルを低減することができる。
【００２８】
（２）上記実施形態では、内輪３１の側面３９と内壁面４１との角部にＲ面取りを施すといった内輪３１の加工のみによって、エッジロードの発生を緩和してスティックスリップ現象により発生する異音の音圧レベルを低減している。このため、内軸２０及び転がり軸受３０をユニット化して出荷し、客先で駆動軸１０を組付けるような場合に、出荷時の対応のみで異音の音圧レベルを低減することができる。従って、客先での対応が不要となり、客先に与える負担を軽減することができる。
【００２９】
なお、上記実施形態は以下のように変更してもよい。
・上記実施形態では、内輪３１の側面３９と内壁面４１との角部に、Ｒ面取りを施すことにより曲面部４２を形成しているが、曲面部４２が側面３９に対して接線接続され、側面３９の内周端３９ａがエッジ形状とならなければ、曲面部４２は他の形態で形成されていてもよい。図５は他の形態における曲面部４３の断面図を示したものである。曲面部４３はＲ面で形成されており、一端４３ａが側面３９に対して接線接続し、他端４３ｂが内壁面４１に対して接線接続しないような形態で形成される。このように構成しても、当接面におけるエッジロードの発生を緩和することができ、スティックスリップ現象により発生する異音を小さくすることができる。また、曲面部４２，４３はＲ面以外の曲面により形成されていてもよい。
【００３０】
・上記実施形態では、軸部２１のフランジ部２２側の外周に、アウター側の玉３４の軌道面である第２軌道２１ａを形成しているが、内輪３１のアウター側に個別の内輪部材を設けるように構成し、この内輪に第２軌道２１ａを形成するようにしてもよい。
【００３１】
・上記実施形態では、転がり軸受３０として複列の玉軸受を用いているが、複列の円錐ころ軸受を用いてもよい。
【図面の簡単な説明】
【００３２】
【図１】実施形態に係る車輪用転がり軸受装置の縦断面図。
【図２】比較例における当接面の面圧分布を示すグラフ。
【図３】図１のＡ部の拡大断面図。
【図４】当接面の面圧分布を示すグラフ。
【図５】本発明の他の例における内輪の曲面部の断面図。
【符号の説明】
【００３３】
１…車輪用転がり軸受装置、１０…駆動軸、１１…大径部、１２…小径部、１５…ナット、２０…内軸、２１…軸部、３０…転がり軸受、３１…内輪、３２…外輪、４１…内壁面、４２…曲面部。
【図１】
2008082347.tif 000003
【図２】
2008082347.tif 000004
【図３】
2008082347.tif 000005
【図４】
2008082347.tif 000006
【図５】
2008082347.tif 000007